(57)【要約】  作業性及び携帯性に優れる熱変色性インキの変色用加熱器具を提供すること。  熱変色性インキで筆記された筆記対象物に熱を加えるための加熱手段１４、２０と、該加熱手段に電気を供給するための電池１６と、前記加熱手段への電気の供給を開始及び停止するためのスイッチ１８と、を有する熱変色性インキの変色用加熱器具１０。
2016143109.tif 000002
【特許請求の範囲】
【請求項１】
熱変色性インキで筆記された筆記対象物に熱を加えるための加熱手段と、該加熱手段に電気を供給するための電池と、前記加熱手段への電気の供給を開始及び停止するためのスイッチと、を有する熱変色性インキの変色用加熱器具。
【請求項２】
ペンのように把持可能な筒状のハウジングを有し、該ハウジング内に前記電池が収容されていることを特徴とする請求項１に記載の変色用加熱器具。
【請求項３】
前記加熱手段は、発熱体と、該発熱体からの熱を前記筆記対象物に伝えるための伝熱体と、を有し、
該伝熱体の前記筆記対象物に接触する先端部が丸みを持たせて形成されていることを特徴とする請求項１又は２に記載の変色用加熱器具。
【請求項４】
前記先端部が球状であることを特徴とする請求項３に記載の変色用加熱器具。
【請求項５】
前記加熱手段は、発熱体と、該発熱体からの熱を前記筆記対象物に伝えるための伝熱体と、を有し、
該伝熱体の前記筆記対象物に接触する先端部が円錐状であることを特徴とする請求項１又は２に記載の変色用加熱器具。
【請求項６】
前記加熱手段は、発熱体と、該発熱体からの熱を前記筆記対象物に伝えるための伝熱体と、を有し、
該伝熱体は円筒部材から形成され、該円筒部材は周方向に回転可能に構成され、
当該変色用加熱器具の使用時において、該円筒部材の軸方向が前記筆記対象物の筆記面と平行となるように構成されていることを特徴とする請求項１又は２に記載の変色用加熱器具。
【請求項７】
前記伝熱体の先端部が弾性部材から形成されていることを特徴とする請求項３〜６の何れか１項に記載の変色用加熱器具。
【請求項８】
前記加熱手段は、発熱体と、該発熱体からの熱を空気により前記筆記対象物に伝える送風手段と、を有し、
前記発熱体及び前記送風手段は筒状のハウジングに収容され、該ハウジングの先端から前記送風手段からの空気が送られることを特徴とする請求項１又は２に記載の変色用加熱器具。
【請求項９】
前記加熱手段は、レーザー又はヒーターランプであることを特徴とする請求項１又は２に記載の変色用加熱器具。
【請求項１０】
前記加熱手段により加熱している際に点灯するランプが設けられていることを特徴とする請求項１〜９の何れか１項に記載の変色用加熱器具。
【請求項１１】
前記ハウジングを把持したときの指の近傍に前記スイッチが配置されていることを特徴とする請求項１〜１０の何れか１項に記載の変色用加熱器具。
【請求項１２】
熱変色性インキを収容する収容部と、該収容部内の熱変色性インキを吐出可能なペン先と、を更に有することを特徴とする請求項１〜１１の何れか１項に記載の変色用加熱器具。
【発明の詳細な説明】
【技術分野】
【０００１】
本発明は、熱変色性インキの変色用加熱器具に関する。
【背景技術】
【０００２】
従来から熱により変色するインキ（熱変色性インキ）を用いた筆記具がインキが消えるペンとして広く知られており、一般に使用されている。筆記された熱変色性インキを変色させるためには、熱変色性筆記具で筆記された紙等の筆記対象物を樹脂製の摩擦体で擦って熱を加えることにより行うのが一般的であるが、これだけでなく、コピー機等の感熱機、電球などの照明具、ヘアドライヤー、抵抗発熱体を装備した通電加熱変色具、温水などを充填した加熱変色具等を用いる手段も知られている（特許文献１）。
【先行技術文献】
【特許文献】
【０００３】
【特許文献１】特開２０１０−８２８０４号公報
【発明の概要】
【発明が解決しようとする課題】
【０００４】
筆記具は利便性の点で作業性や携帯性に優れることが求められることから、熱変色性インキの変色用加熱器具も同様に作業性及び携帯性に優れることが求められる。【０００５】
したがって、本発明の目的は、作業性及び携帯性に優れる熱変色性インキの変色用加熱器具を提供することにある。
【課題を解決するための手段】
【０００６】
上記目的は、熱変色性インキで筆記された筆記対象物に熱を加えるための加熱手段と、該加熱手段に電気を供給するための電池と、前記加熱手段への電気の供給を開始及び停止するためのスイッチと、を有する熱変色性インキの変色用加熱器具により達成される。【０００７】
上記構成の変色用加熱器具は、加熱手段の電源を電池とすることによりコンセントのない場所でも使用することができるので携帯性に優れており、また、電源確保のためにコード等を用いてコンセントに接続する必要がないので取り扱いが容易であり、作業性にも優れている。【０００８】
本発明の好ましい態様は以下のとおりである。【０００９】
（１）ペンのように把持可能な筒状のハウジングを有し、該ハウジング内に前記電池が収容されている。このような構成とすることにより、変色用加熱器具をコンパクトな形状とすることができるので作業性及び携帯性が更に優れたものとなる。【００１０】
（２）前記加熱手段は、発熱体と、該発熱体からの熱を前記筆記対象物に伝えるための伝熱体と、を有し、該伝熱体の前記筆記対象物に接触する先端部が丸みを持たせて形成されている。伝熱体の先端部に丸みを持たせることにより、熱変色性インキが筆記された紙に伝熱体を接触させた状態でスムーズに移動させることが可能であり、加熱作業の作業性がより向上する。【００１１】
（３）前記先端部が球状である。伝熱体を更にスムーズに移動させることができる。【００１２】
（４）前記加熱手段は、発熱体と、該発熱体からの熱を前記筆記対象物に伝えるための伝熱体と、を有し、該伝熱体の前記筆記対象物に接触する先端部が円錐状である。伝熱体の先端部を円錐状として尖った形状とすることにより、筆記された熱変色性インキのうち細かい箇所の加熱作業を精確に行うことが可能となる。【００１３】
（５）前記加熱手段は、発熱体と、該発熱体からの熱を前記筆記対象物に伝えるための伝熱体と、を有し、該伝熱体は円筒部材から形成され、該円筒部材は周方向に回転可能に構成され、該円筒部材の軸方向が前記筆記対象物の筆記面と平行となるように構成されている。伝熱体を回転可能な円筒部材とすることにより、筆記された紙に伝熱体を接触させて加熱する作業を確実且つスムーズに行うことができる。【００１４】
（６）前記伝熱体の先端部が弾性部材から形成されている。この構成によれば、熱変色性インキが筆記された筆記対象物に伝熱体の先端部を押し付け、この際の押圧力に応じて伝熱体の先端部と筆記対象物の筆記面との接触面積の大きさの微妙な加減ができるので精確な加熱作業を行うことができる。【００１５】
（７）前記加熱手段は、発熱体と、該発熱体からの熱を空気により前記筆記対象物に伝える送風手段と、を有し、前記発熱体及び前記送風手段は筒状のハウジングに収容され、該ハウジングの先端から前記送風手段からの空気が送られる。送風手段で加熱する際には、変色用加熱器具を筆記対象物に直接接触させずに加熱作業を行うことができるので、作業後の筆記対象物の状態を作業前の状態で維持することができる。【００１６】
（８）前記加熱手段は、レーザー又はヒーターランプである。レーザー又はヒーターランプで加熱する際には、変色用加熱器具を筆記対象物に直接接触させずに加熱作業を行うことができるので、作業後の筆記対象物の状態を作業前の状態で維持することができる。【００１７】
（９）前記加熱手段により加熱している際に点灯するランプが設けられている。この構成によれば、加熱手段が作動しているかどうかをランプの点灯により確認することができるので、消し忘れや火傷等の事故を未然に防止することができる。【００１８】
（１０）前記ハウジングを把持したときの指の近傍に前記スイッチが配置されている。加熱作業する際の把持状態でスイッチのオン・オフ作業を行うことができるので、スイッチのオン・オフの度に変色用加熱器具を持ち替える必要がなく、作業性が更に向上する。【００１９】
（１１）熱変色性インキを収容する収容部と、該収容部内の熱変色性インキを吐出可能なペン先と、を更に有する。筆記具と一体とした構成とすることにより携帯性に更に優れたものとなり、また、筆記作業と加熱作業とを繰り返し行う際に、別の筆記具や加熱器具に持ち変える必要がないので作業性にも更に優れたものとなる。
【発明の効果】
【００２０】
本発明によれば、作業性及び携帯性に優れる熱変色性インキの変色用加熱器具を提供することができる。
【図面の簡単な説明】
【００２１】
【図１】本発明の変色用加熱器具の第１の実施の形態を示す概略断面図である。
【図２】伝熱体の他の例を示す説明図である。
【図３】本発明の変色用加熱器具の第２の実施の形態を示す概略断面図（ａ）及び側面図（ｂ）である。
【図４】本発明の変色用加熱器具の第３の実施の形態を示す概略断面図である。
【図５】本発明の変色用加熱器具の第４の実施の形態を示す概略断面図である。
【図６】本発明の変色用加熱器具の第５の実施の形態を示す概略断面図である。
【図７】本発明の変色用加熱器具の第６の実施の形態を示す概略断面図である。
【発明を実施するための形態】
【００２２】
以下、図面を参照して本発明を詳細に説明する。図１は、本発明の熱変色性インキの変色用加熱器具の第１の実施の形態を示す概略断面図である。図示のように、変色用加熱器具１０は、筒状のハウジング１２と、ハウジング１２の一方の端部に設けられた伝熱体１４とを有している。ハウジング１２の内部には電池１６が２個収容されており、電池１６と電気的に接続されたスイッチ１８がハウジング１２の外部から操作可能なように配置されている。
【００２３】
伝熱体１４の内側には、電池１６と電気的に接続された発熱体２０が配置されている。伝熱体１４は、発熱体２０で発せられた熱を紙等の筆記対象物に付着した熱変色性インキ（図示せず）に伝える役割を有する。スイッチ１８をオン・オフすることにより発熱体２０への電気の供給が開始又は停止する。また、温度センサー２２が発熱体２０の近傍に設けられており、電池１６と電気的に接続されて電気の供給を受けている。さらに、ハウジング１２にはランプ２４が設けられており、スイッチ１８をオンにして発熱体２０が作動して加熱している際に点灯し、加熱されているか否かが視認できるようになっている。ランプ２４はハウジング１２の外部から確認可能な位置に配置される。
【００２４】
伝熱体１４は棒状形状であり、その長さ方向が筒状のハウジング１２の長さ方向と一致するように設けられている。伝熱体１４の一方の端部である先端１４ａは、その一端１４ａ−１から他端１４ａ−２にかけて漸次後方に後退する傾斜面の形状とされ（斜視図である図２（ａ）も参照）、他方の端部１４ｂはハウジング１２に固定されている。発熱体２０と伝熱体１４とにより加熱手段が構成されている。
【００２５】
ハウジング１２は筒状形状であり、ペンのように把持することができる太さを有する。筒状形状は円筒状でも角筒状でもよいが、把持し易い点で円筒状が好ましい。ハウジング１２の太さは、例えば、５〜５０ｍｍである。電池１６は、作業性及び携帯性の点から、サイズの小さい電池である単３電池（ＡＡ）、単４電池（ＡＡＡ）又は単５電池（Ｎ）やボタン型電池が好ましい。温度センサー２２としては、例えば、正特性サーミスタを使用すれば、発熱体２０の温度を一定に制御することができる。スイッチ１８は、ハウジング１２を把持したときに指の近傍に位置するように配置されている。
【００２６】
変色用加熱器具１０による加熱作業の対象となる熱変色性インキは従来から使用されているものでよく特に限定されない。特に、有色から透明色に変わる熱変色性インキは、一度筆記した文字を消去することができる点で広く用いられていることから、このような熱変色性インキが代表例として挙げられる。熱変色性インキの変色温度は本発明では特に限定されないが、変色温度が５０〜８０℃である熱変色性インキが、熱変色性インキで筆記された紙等の筆記対象物を過度な加熱により損傷させずに変色させることができる点で好ましく用いられる。
【００２７】
以上のように構成された変色用加熱器具１０を用い、熱変色性インキで筆記された筆記対象物のうち変色させたい箇所に伝熱体１４を接触させることで、筆記された熱変色性インキを変色させることが可能である。
【００２８】
そして、変色用加熱器具１０は、加熱手段の電源を電池とすることによりコンセントのない場所でも使用することができるので携帯性に優れており、また、電源確保のためにコード等を用いてコンセントに接続する必要がないので取り扱いが容易であり、作業性にも優れている。また、ハウジング１２はペンように片手で把持可能であり、ハウジング１２内に電池１６が収容されていることから、変色用加熱器具１０全体をコンパクトな形状とされており、作業性及び携帯性が更に優れたものとなっている。
【００２９】
変色用加熱器具１０に使用することができる伝熱体は上述したものだけでなく、図２（ｂ）〜（ｅ）の斜視図に示したものでもよい。
【００３０】
図２（ｂ）は、横断面円状の伝熱体であり、その先端面が円柱を斜めに切断した形状である楕円面とされている。このような楕円面とすることにより、変色用加熱器具をペンのように把持して作業を行うときに、その楕円面と筆記対象物の筆記面を平行とすることができるため、伝熱体の楕円面を十分に筆記対象物に接触させて加熱することができるので、作業性の更なる向上が図られる。
【００３１】
図２（ｃ）は、先端は円錐状に形成された伝熱体である。先端を円錐状にして尖った形状とすることにより、筆記された部分のうち変色させたい場所が細かい箇所である場合であっても支障なく伝熱体を接触させて加熱することができる。
【００３２】
図２（ｄ）及び（ｅ）は、先端部が丸みを帯もたせて形成された伝熱体である。これらの先端部にはエッジがないので先端部を紙に接触させて移動させる作業をスムーズに行うことができる。特に図２（ｅ）のように先端部を球状とすることにより加熱作業の更なるスムーズ化が図られる。
【００３３】
図１に示した変色用加熱器具１０は、伝熱体１４の端部１４ｂ側とハウジング１２の伝熱体１４側端部とを互いに螺合させることが可能な螺合部とすることにより、図２で示したような別の先端形状を有する伝熱体に取り替え可能な構成としてもよい。また、電池１６はハウジング１２内に収容されているが、ハウジング１２の隣に別途収容部を設けてその中に収容してもよい。
【００３４】
伝熱体の先端部の材料は耐熱性及び熱伝導性を有するものであれば特に制限はない。例えば、無酸素銅の金属部材やシリコーンゴム等のゴムから構成される弾性部材が挙げられる。先端部が弾性部材で形成されている場合には、筆記対象物に伝熱体の先端部を押し付け、この際の押圧力に応じて伝熱体の先端部と筆記対象物の筆記面との接触面積の大きさの微妙な加減ができるので精確な加熱作業を行うことができる。これは伝熱体の端部が丸みを持たせて形成されている場合に特に有効である。
【００３５】
図３は、本発明の熱変色性インキの変色用加熱器具の第２の実施の形態を示す概略断面図（ａ）及び側面図（ｂ）である。図示のように、変色用加熱器具３０は、第１の実施の形態の変色用加熱器具１０と同様に、筒状のハウジング３２内に電池３６が収容されており、更にスイッチ３８が電池３６と電気的に接続されて設けられている
【００３６】
ハウジング３２の一方の先端部３２ａは後方から先端に向かうに従って幅が狭くなる形状とされ、互いに対向する２つ先端部３２ａの間に円筒状の伝熱体３４が設けられている。伝熱体３４の孔部３４ａには、ハウジング３２の２つの先端部３２ａ間に設けられた軸部４４が挿通されており、これにより伝熱体３４はその周方向に回転可能に設けられている。軸部４４はその長さ方向（伝熱体３４の軸方向）が、変色用加熱器具３０の使用時において、筆記対象物の筆記面と平行になるように設けられている。本実施形態では、伝熱体３４の軸方向がハウジング３２の長さ方向と略直交する方向で伝熱体３４が設けられている。伝熱体３４の材質は第１の実施の形態の伝熱体１４と同じものを使用することができる。
【００３７】
軸部４４の中央には発熱体４０が軸部４４の中央部に取り付けられている。伝熱体３４の孔部３４ａ発熱体４０の近傍箇所には、溝部３４ｂが周方向に設けられており、これにより伝熱体３４は発熱体４０と接触することなく回転可能に構成されている。また、温度センサー４２が発熱体４０の近傍に設けられているとともに電池４６と電気的に接続されている。発熱体４０と伝熱体３４により加熱手段が構成されている。
【００３８】
この変色用加熱器具３０は、円筒部材から構成される伝熱体３４（ローラー）を有しているので、伝熱体３４を筆記対象物の筆記面上を接触させた状態で移動させることにより、伝熱体３４である円筒部材が回転することで伝熱体を筆記対象物に確実に接触させつつスムーズに伝熱体を移動させることができ、作業性の向上が図られる。また、加熱温度の低下も生じにくい。
【００３９】
図４は、本発明の熱変色性インキの変色用加熱器具の第３の実施の形態を示す概略断面図である。この変色用加熱器具５０は、第１の実施の形態で示した変色用加熱器具１０と同様に、筒状のハウジング５２内に電池５６が収容され、更にスイッチ５８が電池５６と電気的に接続されて設けられている。
【００４０】
ハウジング５２の先端側は、先端に移行するに従って細くなる形状を有しており、先端にはノズル６８が形成されている。ハウジング５２内のノズル６８近傍には発熱体６０が設けられている。発熱体６０のノズル６８側とは反対側にはファン６４が設けられており、ファン６４を稼働させて空気を送ることにより、発熱体６０で生じた熱がノズル６８を介してハウジング５２の外部に送られる。ファン６４はこれに接続されたモーター６６により稼働する。発熱体６０、温度センサー６２及びモーター６６は、電池５６と電気的に接続されている。ファン６４とモーター６６により送風手段が構成されており、発熱体６０、ファン６４及びモーター６６により加熱手段が構成されている。
【００４１】
この変色用加熱器具５０によれば、ファン６４によりノズル６８から排出された熱風で筆記対象物を加熱することができるので、変色用加熱器具５０と筆記対象物との直接接触を必要とせず、作業後の筆記対象物の状態を良好に維持することができる。なお、本発明において、筆記対象物は、熱変色性インキで筆記されたもののことをいい、例えば、普通紙、ボール紙、壁等も含む概念である。
【００４２】
図５は、本発明の熱変色性インキの変色用加熱器具の第４の実施の形態を示す概略断面図である。この変色用加熱器具７０は、第１の実施の形態で示した変色用加熱器具１０と同様に、筒状のハウジング７２内に電池７６が収容されており、更にスイッチ７８が電池７６と電気的に接続されて設けられている。
【００４３】
ハウジング７２の一方の端部は開口部８４となっており、開口部８４には椀状の反射鏡８２が設けられている。反射鏡８２の環状の縁部８２ａは、開口部８４と略同一の大きさを有しておりかつその設置位置が開口部８４に一致するように設けられている。
【００４４】
反射鏡８２の内側には加熱手段としてのヒーターランプ８０が設けられており、反射鏡８２はヒーターランプ８０からの光（主に赤外線）を反射させ、その反射光は開口部８４から変色用加熱器具７０の外部へ放射される。ヒーターランプ８０は赤外線を放射できるランプであればよく、例えば、ハロゲンランプ、キセノンランプ、赤外線ＬＥＤ等を使用することができる。
【００４５】
本実施の形態の変色用加熱器具７０では、ヒーターランプ８０から照射される赤外線によって熱変色性インキを加熱することにより熱変色性インキを変色させることができる。そして、加熱作業中では、筆記対象物に変色用加熱器具７０を直接接触させずに加熱することができるので、変色させる作業を行った後の筆記対象物の状態を良好に維持することができる。
【００４６】
図６は、本発明の熱変色性インキの変色用加熱器具の第５の実施の形態を示す概略断面図である。この変色用加熱器具９０は、第１の実施の形態で示した変色用加熱器具１０と同様に、ハウジング９２内に電池９６が収容されており、更にスイッチ９８が電池９６と電気的に接続されて設けられている。
【００４７】
そして、変色用加熱器具９０の先端近傍には加熱手段としてのレーザー１００が設けられている。レーザー１００と開口部１０４の間には拡散レンズ１０２が設けられており、拡散レンズ１０２はレーザー１００からのレーザー光を拡散させることにより、レーザー１００によるレーザー光の照射は点ではなく面で行われる。レーザー１００としては、赤外線を放射するレーザーや加熱可能な出力を有するレーザー（例えば、ＬＥＤレーザー）を使用することができる。
【００４８】
本実施の形態の変色用加熱器具９０では、レーザー１００から照射されるレーザー光によって熱変色性インキを加熱することにより熱変色性インキを変色させることができる。そして、加熱作業中では、筆記対象物に変色用加熱器具９０を直接接触させずに加熱することができるので、変色させる作業において筆記対象物を損傷させることなく、作業前の状態を維持することができる。
【００４９】
図７は、本発明の熱変色性インキの変色用加熱器具の第６の実施の形態を示す概略断面図である。この変色用加熱器具１１０は、第１の実施の形態の変色用加熱器具１０の伝熱体１４が設けられた側とは反対側の端部に更なる筒状のハウジング１１２が同軸上に設けられている。ハウジング１１２には熱変色性インキの収容部１１４が設けられ、収容部１１４から熱変色性インキを吐出させるためのペン先１１６とを有する。
【００５０】
このようにして、変色用加熱器具を筆記具と一体とした構成とすることにより携帯性に更に優れたものとなり、また、筆記作業と加熱作業とを繰り返し行う際に、別の筆記具や加熱器具に持ち変える必要がないので作業性にも更に優れたものとなる。
【００５１】
本発明は上述した実施の形態に限定されることなく、本発明の要旨を超えない範囲で種々の変更が可能である。
【符号の説明】
【００５２】
１０、３０、５０、７０、９０  １１０  変色用加熱器具
１２、３２、５２、７２、９２  ハウジング
１４、３４  伝熱体
１６、３６、５６、７６、９６  電池
１８、３８、５８、７８、９８  スイッチ
２０、４０、６０  発熱体
２２、４２、６２  温度センサー
８０  ヒーターランプ
１００  レーザー
１１２  ハウジング
１１４  収容部
１１６  ペン先
【図１】
2016143109.tif 000003
【図２】
2016143109.tif 000004
【図３】
2016143109.tif 000005
【図４】
2016143109.tif 000006
【図５】
2016143109.tif 000007
【図６】
2016143109.tif 000008
【図７】
2016143109.tif 000009
【国際調査報告】
2016143109.tif 000010
2016143109.tif 000011
2016143109.tif 000012
2016143109.tif 000013